(57)【要約】【課題】  撮影時に特殊効果等の適用状態を確認しながら撮影者の意図どおりの画像を容易に撮影できるようにする画像処理技術を提供することを課題とする。【解決手段】  被写体像を光電変換して画像データを生成する撮像手段と、撮像手段により生成される画像データに特殊効果を適用した特殊効果付画像を出力する画像出力手段と、撮影指示がされると、撮像手段により生成された画像データ及び特殊効果の情報を関連付けて記録する記録手段とを有する画像処理装置が提供される。【選択図】        図２
2005079820.tif 000002
【特許請求の範囲】
【請求項１】
被写体像を光電変換して画像データを生成する撮像手段と、
前記撮像手段により生成される画像データに特殊効果を適用した特殊効果付画像を出力する画像出力手段と、
撮影指示がされると、前記撮像手段により生成された画像データ及び前記特殊効果の情報を関連付けて記録する記録手段と
を有することを特徴とする画像処理装置。
【請求項２】
さらに、複数の特殊効果の中から前記画像データに適用する特殊効果を選択する特殊効果選択手段を有することを特徴とする請求項１記載の画像処理装置。
【請求項３】
前記画像出力手段は、ディスプレイ装置への表示を行うことを特徴とする請求項１又は２記載の画像処理装置。
【請求項４】
前記記録手段は、ＳＶＧ（Scalable Vector Graphics）標準規格に従って前記特殊効果の情報を記録することを特徴とする請求項１〜３のいずれか１項に記載の画像処理装置。
【請求項５】
前記記録手段は、ＸＭＬ（Extensible Markup Language）標準規格に従って前記特殊効果の情報を記録することを特徴とする請求項１〜３のいずれか１項に記載の画像処理装置。
【請求項６】
さらに、画像データを選択する画像選択手段と、
特殊効果を選択する特殊効果選択手段とを有し、
前記記録手段は、前記選択された画像データ及び前記選択された特殊効果の情報を関連付けて記録することを特徴とする請求項１記載の画像処理装置。
【請求項７】
さらに、前記特殊効果の情報を外部から転送入力することができる外部入力手段を有することを特徴とする請求項１記載の画像処理装置。
【請求項８】
前記外部入力手段は、ＵＳＢ又はＩＥＥＥ１３９４インタフェースにより入力を行うことを特徴とする請求項７記載の画像処理装置。
【請求項９】
前記外部入力手段は、有線又は無線ネットワークインタフェースにより入力を行うことを特徴とする請求項７記載の画像処理装置。
【請求項１０】
さらに、前記記録手段により記録された画像データ及び特殊効果の情報を基に再生する再生手段を有する請求項１記載の画像処理装置。
【請求項１１】
前記再生手段は、前記記録手段により記録された画像データ及び特殊効果の情報の対応付けを変更して再生することができる請求項１０記載の画像処理装置。
【請求項１２】
前記記録手段は、前記記録手段により記録された画像データ及び特殊効果の情報の対応付けを変更して記録することができる請求項１１記載の画像処理装置。
【請求項１３】
被写体像を光電変換して画像データを生成する撮像手段と、
前記撮像手段により生成される画像データにアニメーションを合成した画像を出力する画像出力手段と、
撮影指示がされると、前記撮像手段により生成された画像データ及び前記アニメーションの情報を関連付けて記録する記録手段と
を有することを特徴とする画像処理装置。
【請求項１４】
一又は複数の画像データを記憶するための画像記憶手段と、
一又は複数の特殊効果の情報を記憶するための特殊効果記憶手段と、
前記画像記憶手段に記憶されている画像データを選択する画像選択手段と、
前記特殊効果記憶手段に記憶されている特殊効果を選択する特殊効果選択手段と、
前記選択された画像データ及び前記選択された特殊効果の情報を関連付けて記録する記録手段と
を有することを特徴とする画像処理装置。
【請求項１５】
被写体像を光電変換して画像データを生成する撮像ステップと、
前記生成された画像データに特殊効果を適用した特殊効果付画像を出力する画像出力ステップと、
撮影指示がされると、前記生成された画像データ及び前記特殊効果の情報を関連付けて記録する記録ステップと
を有することを特徴とする画像処理方法。
【請求項１６】
被写体像を光電変換して画像データを生成する撮像ステップと、
前記生成された画像データにアニメーションを合成した画像を出力する画像出力ステップと、
撮影指示がされると、前記生成された画像データ及び前記アニメーションの情報を関連付けて記録する記録ステップと
を有することを特徴とする画像処理方法。
【請求項１７】
画像記憶手段に記憶されている画像データを選択する画像選択ステップと、
特殊効果記憶手段に記憶されている特殊効果を選択する特殊効果選択ステップと、
前記選択された画像データ及び前記選択された特殊効果の情報を関連付けて記録する記録ステップと
を有することを特徴とする画像処理方法。
【請求項１８】
被写体像を光電変換して画像データを生成する撮像ステップと、
前記生成された画像データに特殊効果を適用した特殊効果付画像を出力する画像出力ステップと、
撮影指示がされると、前記生成された画像データ及び前記特殊効果の情報を関連付けて記録する記録ステップと
をコンピュータに実行させるためのプログラム。
【請求項１９】
被写体像を光電変換して画像データを生成する撮像ステップと、
前記生成された画像データにアニメーションを合成した画像を出力する画像出力ステップと、
撮影指示がされると、前記生成された画像データ及び前記アニメーションの情報を関連付けて記録する記録ステップと
をコンピュータに実行させるためのプログラム。
【請求項２０】
画像記憶手段に記憶されている画像データを選択する画像選択ステップと、
特殊効果記憶手段に記憶されている特殊効果を選択する特殊効果選択ステップと、
前記選択された画像データ及び前記選択された特殊効果の情報を関連付けて記録する記録ステップと
をコンピュータに実行させるためのプログラム。
【発明の詳細な説明】
【技術分野】
【０００１】
本発明は、画像処理技術に関する。
【背景技術】
【０００２】
近年、ＣＣＤ入力装置より入力した映像をデジタル変換して画像データとして記憶装置に格納するいわゆるデジタルカメラ装置が実用化され、デジタル画像の作成手段として広く利用されるようになった。デジタルカメラ装置の中には、利用者が撮影時に特殊効果を設定する機能を備えているものがあり、これにより色調変換やソフトフォーカスといった特殊効果を施した画像の撮影をおこなえるようにしている（例えば、特許文献１参照。）。
【０００３】
【特許文献１】特開２００２−１７６６１５号公報
【発明の開示】
【発明が解決しようとする課題】
【０００４】
しかしながら、上記従来例のデジタルカメラ装置によって設定可能な特殊効果は、画像データを記憶装置に格納する時点で画像データに適用されるよう構成されているため、特殊効果付の画像を表示しながら意図した通りの特殊効果が適用されることを確認した上で撮影できないという欠点があった。また、特殊効果の適用に際して画像データ自体を直接加工することになるため、後に特殊効果を解除した画像データや別の特殊効果を適用した画像データが利用したい状況が発生しても、素材となるべき特殊効果なしの画像データを得ることができないという問題があった。
【０００５】
こうした欠点を解決する方法としては、デジタルカメラ装置で撮影された画像データをコンピュータ装置に転送し、コンピュータ装置上で動作するプログラムを使用することによって特殊効果を施すという方法がある。そのようなプログラムはフォトレタッチアプリケーションと称されており、特殊効果なしの画像データを素材として多様な特殊効果を対話的に適用できるようになっている。
【０００６】
しかしながら、上記のフォトレタッチアプリケーションを用いる解決方法においては、はじめに画像データをコンピュータ装置に転送する必要があるため、デジタルカメラ装置単体で特殊効果付画像を作成することの利便性は得られず、さらに、画像の撮影から特殊効果付画像の作成に至る過程の操作は、多くのステップを要する非常に煩雑な手続きになるという問題がある。
【０００７】
本発明は上記の実情に鑑みてなされたものであり、その目的とするところは、撮影時に特殊効果等の適用状態を確認しながら撮影者の意図どおりの画像を容易に撮影できるようにする画像処理技術を提供することである。
【０００８】
また本発明は、画像データ自体を直接加工することなく特殊効果等を適用した画像を得ることができる画像処理技術を提供することを目的とする。
【課題を解決するための手段】
【０００９】
本発明の画像処理装置は、被写体像を光電変換して画像データを生成する撮像手段と、前記撮像手段により生成される画像データに特殊効果を適用した特殊効果付画像を出力する画像出力手段と、撮影指示がされると、前記撮像手段により生成された画像データ及び前記特殊効果の情報を関連付けて記録する記録手段とを有することを特徴とする。
また、本発明の画像処理装置は、被写体像を光電変換して画像データを生成する撮像手段と、前記撮像手段により生成される画像データにアニメーションを合成した画像を出力する画像出力手段と、撮影指示がされると、前記撮像手段により生成された画像データ及び前記アニメーションの情報を関連付けて記録する記録手段とを有することを特徴とする。
また、本発明の画像処理装置は、一又は複数の画像データを記憶するための画像記憶手段と、一又は複数の特殊効果の情報を記憶するための特殊効果記憶手段と、前記画像記憶手段に記憶されている画像データを選択する画像選択手段と、前記特殊効果記憶手段に記憶されている特殊効果を選択する特殊効果選択手段と、前記選択された画像データ及び前記選択された特殊効果の情報を関連付けて記録する記録手段とを有することを特徴とする。
また、本発明の画像処理方法は、被写体像を光電変換して画像データを生成する撮像ステップと、前記生成された画像データに特殊効果を適用した特殊効果付画像を出力する画像出力ステップと、撮影指示がされると、前記生成された画像データ及び前記特殊効果の情報を関連付けて記録する記録ステップとを有することを特徴とする。
また、本発明の画像処理方法は、被写体像を光電変換して画像データを生成する撮像ステップと、前記生成された画像データにアニメーションを合成した画像を出力する画像出力ステップと、撮影指示がされると、前記生成された画像データ及び前記アニメーションの情報を関連付けて記録する記録ステップとを有することを特徴とする。
また、本発明の画像処理方法は、画像記憶手段に記憶されている画像データを選択する画像選択ステップと、特殊効果記憶手段に記憶されている特殊効果を選択する特殊効果選択ステップと、前記選択された画像データ及び前記選択された特殊効果の情報を関連付けて記録する記録ステップとを有することを特徴とする。
また、本発明のプログラムは、被写体像を光電変換して画像データを生成する撮像ステップと、前記生成された画像データに特殊効果を適用した特殊効果付画像を出力する画像出力ステップと、撮影指示がされると、前記生成された画像データ及び前記特殊効果の情報を関連付けて記録する記録ステップとをコンピュータに実行させるためのプログラムである。
また、本発明のプログラムは、被写体像を光電変換して画像データを生成する撮像ステップと、前記生成された画像データにアニメーションを合成した画像を出力する画像出力ステップと、撮影指示がされると、前記生成された画像データ及び前記アニメーションの情報を関連付けて記録する記録ステップとをコンピュータに実行させるためのプログラムである。
また、本発明のプログラムは、画像記憶手段に記憶されている画像データを選択する画像選択ステップと、特殊効果記憶手段に記憶されている特殊効果を選択する特殊効果選択ステップと、前記選択された画像データ及び前記選択された特殊効果の情報を関連付けて記録する記録ステップとをコンピュータに実行させるためのプログラムである。
【発明の効果】
【００１０】
画像データに特殊効果等を適用した画像を出力することにより、撮影時に特殊効果等の適用状態を確認しながら撮影者の意図どおりの画像を容易に撮影できる。また、画像データ及び特殊効果等の情報を関連付けて記録することにより、画像データ自体を直接加工することなく特殊効果等を適用した画像を記録することができ、画像データと特殊効果等の情報は独立して扱うことができるため、同一の画像データに対して異なる特殊効果等を組み合わせて多様な画像を記録することができる。
【発明を実施するための最良の形態】
【００１１】
以下、本発明の詳細をその実施の形態にもとづいて図面を参照しながら説明する。
（第１の実施形態）
図１は本発明の第１の実施形態によるデジタルカメラの構成を説明するブロック図である。
【００１２】
図１において、制御部１には撮像部２、操作部３、記録部４、モード切替スイッチ８、特殊効果選択スイッチ９、特殊効果付画像選択スイッチ１０、シャッターボタン１１、特殊効果付画像保存スイッチ１２、および通信インタフェース１４からそれぞれ信号が入力される。また制御部１から表示部７、記録部４に対して出力がなされる。また、制御部１はＲＯＭ５、ＲＡＭ６に接続している。
【００１３】
上記各部のうち、撮像部２は、被写体像をデジタル信号に光電変換して制御部１に入力する。操作部３は、スイッチの操作により、操作信号を制御部１に送ることができる。モード切替スイッチ８はデジタルカメラのモードを撮影モード、再生モードのいずれかに切り替えるスイッチである。特殊効果選択スイッチ９は特殊効果を１つ選択する機能を持つ。
【００１４】
上記記録部４は画像データを記録媒体への記録や記録媒体から読み込みを行うためのインタフェースである。また、同時に上記記録部４は特殊効果情報を読み込むことができる。通信インタフェース１４は外部から特殊効果情報を取得するためのインタフェースであり、パーソナルコンピュータ（ＰＣ）１５とは通信ケーブルあるいは無線によって接続している。
【００１５】
上記表示部７は、デジタルカメラのファインダーであるとともに、再生時にはディスプレイとなる。また、ＳＶＧ（Scalable Vector Graphics）標準規格によって記述された内容を解釈し、動的に画像を生成して表示する機能を併せ持つ。
【００１６】
次に、上記のように構成された本実施形態によるデジタルカメラの撮影モードについて説明する。図２は撮影モード時の処理の流れを示した図で、モード切替スイッチ８によってデジタルカメラのモードが撮影モードに設定されたときに開始する。
【００１７】
まず、特殊効果設定手段（ステップ１０１）について、図３に示した特殊効果設定手段の流れに沿って説明する。特殊効果情報テンプレートはＳＶＧ標準規格によって記述されており、それがＲＯＭ５あるいは記録部４の記録媒体に存在している。特殊効果の設定あるいは変更を行なうときは、特殊効果選択スイッチ９により特殊効果を選択し（ステップ２０１）、ＲＡＭ６にその情報を保存し（ステップ２０２）、特殊効果設定を終了する。
【００１８】
図５に示した例は、画像をセピア調に変換する特殊効果情報をＳＶＧで記述したものである。特殊効果情報テンプレートでは、<image>要素を１つだけ含み、xlink:href属性は空("")に設定しておく。特殊効果の記述はＳＶＧ標準規格に従う。例として画像をセピア調に変換する特殊効果をあげたが、他にも照明効果など、多様な特殊効果を設定することが可能である。
【００１９】
次に、表示手段（ステップ１０２）について、図４に示した表示手段の処理の流れに沿って説明する。撮像部２は被写体像をデジタル信号に変換し、制御部１に入力する。その被体画像データを表示部７に転送する（ステップ３０１）。一方、特殊効果情報はステップ１０１の処理においてＲＡＭ６に保存されており、それを表示部７に転送する（ステップ３０２）。さらに特殊効果情報を解析して被写体像に適用した合成画像を生成し（ステップ３０３）、ＶＲＡＭに転送し（ステップ３０４）、ディスプレイに出力する（ステップ３０５）。
【００２０】
図１に戻り、ステップ１０３でシャッターボタン１１が押下されたかどうかをチェックし、押下されなければステップ１０１に戻る。押下された場合、ステップ１０４に処理が遷移する。
【００２１】
次に、特殊効果情報保存手段（ステップ１０４）について、図６に示した保存手段の処理の流れに沿って説明する。シャッターボタン１１が押下された時点の被写体像を、撮像部２においてデジタル信号に変換し、制御部１に入力し、記録部４に保存する（ステップ４０１）。次に画像を保存したときのファイル名を取得し、ＲＡＭ６に転送する（ステップ４０２）。適用する特殊効果情報はＲＡＭ６に保存されており、<image>要素のxlink:href属性の属性値を、取得したファイル名に変更する（ステップ４０３）。このようにして構築された特殊効果情報を記録部４に転送して図７に示したようなＳＶＧ形式のファイルとして保存し（ステップ４０４）、特殊効果情報保存の処理を終了する。すなわち、被写体画像及び特殊効果情報を関連付けて記録する。
【００２２】
なお、上記実施形態では、特殊効果情報テンプレートはＲＯＭ５あるいは記録部４の記録媒体に存在する場合について説明したが、外部入力装置から通信インタフェースを経由して特殊効果情報を取得してもよい。特殊効果情報はテキスト形式で、しかも公知の記述言語を用いるため、市販のパーソナルコンピュータを用いて編集することが可能である。図１において、ＰＣ１５で特殊効果情報を編集し、ＰＣ１５と通信インタフェース１４を接続した上で、特殊効果情報を制御部１に転送し、ＲＡＭ６に保存する。この特殊効果情報はＲＯＭ５や記録部４の記録媒体に保存されている特殊効果情報と同様に扱うことができる。
【００２３】
次に、再生モード時の処理について、その流れを示した図８に沿って説明する。この処理はモード切替スイッチ８によってデジタルカメラのモードが再生モードに設定されたときに開始する。
【００２４】
まず初めに、ステップ５０１において、特殊効果付画像選択スイッチ１０によって記録部４の記録媒体に保存されている１つまたは複数の特殊効果情報のうち１つを選択する。
【００２５】
次に、表示手段（ステップ５０２）について、図９に示した表示手段の流れに沿って説明する。選択された特殊効果情報は図７に示されているようなＳＶＧ形式で保存されている。まず記録部４の記録媒体に保存されている特殊効果情報と特殊効果が適用されている画像データを取得する（ステップ６０１、ステップ６０２）。次に画像データに対して特殊効果を適用した合成画像を出力し（ステップ６０３、図４参照）、処理を終了する。
【００２６】
次に、選択されている特殊効果付画像の特殊効果を変更する場合には特殊効果設定の処理を行い（ステップ５０３、図３参照）、ステップ５０２に戻る。また特殊効果付画像保存スイッチ１２によって記録処理を行なう（ステップ５０４）。記録処理によって、ＲＡＭ６に構築された特殊効果情報のみ、記録部４の記録媒体に出力される。そして、終了の指示により、再生モードを終了する。
【００２７】
（第２の実施形態）
図１０は本発明の第２の実施形態によるデジタルカメラの構成を説明するブロック図である。
【００２８】
図１０において、制御部１には撮像部２、操作部３、記録部４、モード切替スイッチ８、選択スイッチ２２、決定スイッチ２３、通信インタフェース１４、および無線ネットワークインタフェース２４からそれぞれ信号が入力される。また制御部１から記録部４、表示部７、通信インタフェース１４、無線ネットワークインタフェース２４に対して出力がなされる。記録部４は、記録媒体２１と接続している。また、制御部１は、ＲＯＭ５、ＲＡＭ６に接続している。
【００２９】
上記各部のうち、制御部１、撮像部２、操作部３、記録部４、ＲＯＭ５、ＲＡＭ６、表示部７、モード切替スイッチ８、選択スイッチ２２、決定スイッチ２３はデジタルカメラの本体部に設けられる。
【００３０】
上記各部のうち、撮像部２は被写体画像をデジタル信号に変換して制御部１に入力する。操作部３は、スイッチの操作により操作信号を制御部１に送ることができる。モード切替スイッチ８はデジタルカメラのモードを撮影モード、再生モードに切り替えるスイッチである。再生モードには通常の再生モードの他に、特殊効果転送モード、特殊効果設定モード、特殊効果メール送信モードに区分される。選択スイッチ２２は、特殊効果情報や画像データを選択する機能を持ち、決定スイッチ２３は、選択された特殊効果情報や画像データを決定する機能を持つ。
【００３１】
上記記録部４は、画像データを記録媒体２１に対して書き込みや読み込みを行うためのインタフェースである。また、記録部４は特殊効果情報や特殊効果付画像に対しても書き込みや読み込みを行う。通信インタフェース１４や無線ネットワークインタフェース２４は、外部から特殊効果情報を取得するためのインタフェースであり、パーソナルコンピュータ１５と接続する。また、同時に特殊効果付画像を外部ディスプレイ装置への出力を行うためのインタフェースである。
【００３２】
上記表示部７は、デジタルカメラのファインダーであるとともに、再生時にはディスプレイとなる。また、ファイル名表示やその他の設定情報を表示し、特殊効果情報の設定や機能実行の指示を行うための情報を提供する。
【００３３】
図１１は記録媒体２１に保存された、特殊効果情報ファイルのディレクトリ構成を示したものである。図１１に示すように、特殊効果情報のファイルは記録媒体２１のルートディレクトリ下に作成した‘ＳＶＧ'ディレクトリに格納される。
【００３４】
特殊効果情報はＳＶＧ標準規格を利用して記述され、記録媒体２１にファイルとして保存される。特殊効果情報テンプレートをＳＶＧで記述した例を、図１２に示す。この記述例では、画像データをグレースケールにて表示する特殊効果を示した。<title>と<desc>要素の情報は表示部７に表示され、利用者が特殊効果の内容を判断する際の情報となる。この記述例では、<image>要素を１つだけ持ち、xlink:href属性の初期値は空白に設定している。
【００３５】
特殊効果情報テンプレートはインターネットなどのＷｅｂサイト上からダウンロードを行うか、特殊効果情報が格納されたＣＤ−ＲＯＭなどから転送し、取得する。
【００３６】
図１３は外部から特殊効果情報を取得するために、パーソナルコンピュータのＷｅｂブラウザで閲覧していることを示した図である。Ｗｅｂブラウザ上でその効果を確認し、パーソナルコンピュータにダウンロードする。
【００３７】
図１４は外部から特殊効果情報を取得する際の処理の流れを示した図である。ここでは、パーソナルコンピュータを操作して、特殊効果の情報をデジタルカメラ装置に転送する例を示す。まずモード切替スイッチ８により、特殊効果転送モードに切り替える。ステップ８０１において、パーソナルコンピュータ上で転送したい特殊効果情報を選択する。次にステップ８０２において、転送に用いるインタフェースを通信インタフェース１４や無線ネットワークインタフェース２４などから選択し、接続する。選択した転送インタフェースと、接続対象のパーソナルコンピュータとの接続を確認したら、ステップ８０３において特殊効果情報の転送を開始し、ステップ８０４において記録媒体２１に保存する。保存処理が終わると、特殊効果転送処理は終了となる。
【００３８】
次に、特殊効果設定モードについて説明する。図１５に示した流れに沿って説明を行う。まずモード切替スイッチ８により、特殊効果設定モードに切り替える。はじめにステップ９０１において表示部７に図１６のような表示がされ、記録媒体２１に保存されている画像データから特殊効果を設定したい画像を選択する。
【００３９】
選択された画像のファイル名は、ＲＡＭ６に一時保存される。ステップ９０２における特殊効果の選択では、図１７のように表示部７の上段には選択した画像データ、下段には記録媒体２１に保存されている特殊効果の情報が表示される。表示されている特殊効果の中から、設定する特殊効果を選択する。ここで特殊効果情報は、xlink:hrefの値を選択した画像データのファイル名に変更する。図１８に変更後の特殊効果情報の記述例を示す。
【００４０】
ステップ９０３において変更した特殊効果情報を保存するかの確認がされ、保存する場合はステップ９０４において記録媒体２１の保存処理をして終了となる。保存しない場合は、そのまま終了となる。
【００４１】
特殊効果を設定する中で、もし気に入った特殊効果が見つからない場合には、先に説明した特殊効果転送方法により、新しい特殊効果情報を外部から入力する。
【００４２】
本実施形態では、外部からの特殊効果情報テンプレートをそのまま使用する形を採ったが、特殊効果情報はテキスト形式で、しかも公知の記述言語を用いるため、一般的なパーソナルコンピュータのテキストエディタを用いれば特殊効果情報の編集が可能である。
【００４３】
図１９は作成した特殊効果付画像をメールで送信する際の処理の流れを示した図である。まずモード切替スイッチ８により、特殊効果メール送信モードに切り替える。次に、ステップ１００１において記録媒体２１の中から送信したい特殊効果付画像を選択する。表示部７には図２０のように下段に特殊効果が設定されている画像のサムネイルと、上段に選択された特殊効果名が表示される。送信したい特殊効果付画像を決定したら、ステップ１００２においてパーソナルコンピュータとの接続手段を選択する。接続手段としては、ＵＳＢやＩＥＥＥ１３９４などの通信インタフェース装置、有線または無線のネットワークインタフェース装置などから選択する。
【００４４】
選択した接続手段と、パーソナルコンピュータとの接続を確認したら、ステップ１００３において、メール送信の確認がされる。送信するならばステップ１００４において、パーソナルコンピュータから特殊効果情報とその設定画像データが送信された後、終了となる。送信しない場合は、そのまま終了となる。ＳＶＧ標準規格によって記述されているため、ＳＶＧに対応した一般的なメールアプリケーションを用いて、作成者が意図した通りの特殊効果表現をメール受信者が鑑賞することができる。
【００４５】
以上説明したように、上記第１及び第２の実施形態によれば、撮影時に特殊効果の適用状態を確認しながら撮影者の意図どおりの特殊効果付画像を容易に撮影できるという効果がある。
【００４６】
また上記実施形態によれば、画像データ自体を直接加工することなく特殊効果を適用した画像を得ることができるという効果がある。
【００４７】
また上記実施形態によれば、画像データと特殊効果情報は独立して扱うことができるため、同一の画像データに対して異なる特殊効果を組み合わせて多様な特殊効果付画像を得ることができるという効果がある。
【００４８】
さらに、特殊効果情報の表現にＸＭＬ（Extensible Markup Language）の標準規格を使用した場合には、ＸＭＬに対応した一般的なツールやテキストエディタを用いて特殊効果情報を編集できるため、特殊効果情報作成の負担が軽減するという効果が得られる。
【００４９】
また、特殊効果付画像の表現にＳＶＧの標準規格を使用した場合には、ＳＶＧに対応した一般的なインターネット閲覧ソフトウェアを用いて特殊効果付画像を表示できるため、特殊効果付画像鑑賞の利便性が向上するという効果が得られる。
【００５０】
（第３の実施形態）
本発明の第３の実施形態は、アニメーションＳＶＧを表示部（ＬＣＤ）７に表示しながら撮影を行うことができる。時間的に変化するアニメーション画像のＳＶＧファイルを予め記憶させておき、アニメーション撮影モードが選択されると、アニメーションＳＶＧファイルを読み出し、そのアニメーションをループさせて表示部７に表示させる。その際、表示部７には、そのアニメーションと撮像部２が撮像した被写体画像データとを合成させて表示する。
【００５１】
次に、シャッターボタン１１が押下されると、撮像部２はその時点の被写体像をデジタル画像データに変換して記録部４に保存し、それと共にその時点のＳＶＧ情報（アニメーション中のどのタイミングかを示す情報等）を関連付けて記録部４に保存する。ＳＶＧ情報は、例えば、アニメーションを示すＳＶＧデータにおいて、どのフレームが撮影タイミングに用いられたかを示すフラグである。これにより、撮影タイミングのアニメーションのフレームと被写体画像データとを合成して再生可能になる。
【００５２】
再生モードにおいて、撮影したアニメーション付画像を選択すると、ＳＶＧ情報ファイル及び被写体画像データファイルを基に、アニメーションの撮影タイミングのフレーム画像と被写体画像データとを合成して表示部７に表示する。なお、時間的に変化するアニメーション中の一部のフレームに被写体画像データが合成されたものを表示させるようにしてもよい。いずれの表示方法にするかは、ＳＶＧファイルの記述方法で決めることができ、ユーザが選択することができるようにしてもよい。
【００５３】
上記の「アニメーション中のどのタイミングかを示す情報」として、アニメーションを示すＳＶＧデータに、どのフレームが撮影タイミングに用いられたかを示すフラグをつける場合のほかに、アニメーションＳＶＧデータから、撮影タイミングで表示しているフレームを示す新たなＳＶＧデータを作成して、被写体画像データに関連付けて記録してもよい。すなわち、シャッターボタン１１により指定された撮影タイミングのアニメーションのフレームのＳＶＧデータを新たに作成する。また、フレーム間のタイミングで撮影タイミングが指定された場合には、２つのフレームを基に撮影タイミング時のアニメーションフレームのＳＶＧデータを新たに作成してもよい。
【００５４】
さらに、撮影時にＳＶＧデータと被写体画像データとの合成を行う場合の他、撮影後の編集処理において、アニメーションＳＶＧデータとの合成処理を行ってもよい。例えば、図８に示した再生モード時に、アニメーションＳＶＧデータと被写体画像データとの組み合わせを選択して、合成し、表示し、記録部４に記録することができる。
【００５５】
本実施形態は、コンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムを記録したコンピュータ読み取り可能な記録媒体等のコンピュータプログラムプロダクトも本発明の実施形態として適用することができる。上記のプログラム、記録媒体、伝送媒体及びコンピュータプログラムプロダクトは、本発明の範疇に含まれる。記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００５６】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００５７】
【図１】本発明の第１の実施形態によるデジタルカメラの構成を示すブロック図である。
【図２】本発明の第１の実施形態における撮影時の処理の流れを示すフローチャートである。
【図３】本発明の第１の実施形態における特殊効果設定処理の流れを示すフローチャートである。
【図４】本発明の第１の実施形態における撮影時の表示処理の流れを示すフローチャートである。
【図５】本発明の第１の実施形態における特殊効果情報の記述例を示した図である。
【図６】本発明の第１の実施形態における保存処理の流れを示すフローチャートである。
【図７】本発明の第１の実施形態における特殊効果付画像の記述例を示した図である。
【図８】本発明の第１の実施形態における再生時の処理の流れを示すフローチャートである。
【図９】本発明の第１の実施形態における再生時の表示処理の流れを示すフローチャートである。
【図１０】本発明の第２の実施形態によるデジタルカメラの構成を示すブロック図である。
【図１１】本発明の第２の実施形態における特殊効果情報ファイルのディレクトリ構成を示す図である。
【図１２】本発明の第２の実施形態における特殊効果情報の記述例を示した図である。
【図１３】本発明の第２の実施形態における特殊効果情報の取得方法を模式的に示した図である。
【図１４】本発明の第２の実施形態における特殊効果転送モードの処理の流れを示すフローチャートである。
【図１５】本発明の第２の実施形態における特殊効果設定モードの処理の流れを示すフローチャートである。
【図１６】本発明の第２の実施形態における画面表示内容を模式的に示した説明図である。
【図１７】本発明の第２の実施形態における画面表示内容を模式的に示した説明図である。
【図１８】本発明の第２の実施形態における特殊効果付画像の記述例を示した図である。
【図１９】本発明の第２の実施形態における特殊効果メール送信モードの処理の流れを示すフローチャートである。
【図２０】本発明の第２の実施形態における画面表示内容を模式的に示した説明図である。
【符号の説明】
【００５８】
１  制御部
２  撮像部
３  操作部
４  記録部
５  ＲＯＭ
６  ＲＡＭ
７  表示部
８  モード切替スイッチ
９  特殊効果選択スイッチ
１０  特殊効果付画像選択スイッチ
１１  シャッターボタン
１２  特殊効果付画像保存スイッチ
１４  通信インタフェース
１５  ＰＣ
２１  記録媒体
２２  選択スイッチ
２３  決定スイッチ
２４  無線ネットワークインタフェース
【図１】
2005079820.tif 000003
【図２】
2005079820.tif 000004
【図３】
2005079820.tif 000005
【図４】
2005079820.tif 000006
【図５】
2005079820.tif 000007
【図６】
2005079820.tif 000008
【図７】
2005079820.tif 000009
【図８】
2005079820.tif 000010
【図９】
2005079820.tif 000011
【図１０】
2005079820.tif 000012
【図１１】
2005079820.tif 000013
【図１２】
2005079820.tif 000014
【図１３】
2005079820.tif 000015
【図１４】
2005079820.tif 000016
【図１５】
2005079820.tif 000017
【図１６】
2005079820.tif 000018
【図１７】
2005079820.tif 000019
【図１８】
2005079820.tif 000020
【図１９】
2005079820.tif 000021
【図２０】
2005079820.tif 000022